(57)【要約】      （修正有）【課題】建物の各部屋に設けられた過電流による事故を防止するブレーカー付スイッチを付設した電源コンセントを提供する。【解決手段】電源コンセント１の化粧板２に貫通させたプラグの栓刃挿通孔と、栓刃挿通孔の裏面に設けた受刃金具を備えたコンセント３と、電源コンセント１の化粧板２に設けた操作ボタン４ａと、操作ボタン４ａで操作される化粧板２の裏面に設けたブレーカー付スイッチ４と、を備え、コンセント３とブレーカー付スイッチ４とをコード５により電気的に接続すると共に、ブレーカー付スイッチ４を電源コードＣと電気的に接続した。【選択図】図２
0003144068.tif 000002
【実用新案登録請求の範囲】
【請求項１】
建物の壁面に化粧板を露出させ埋没状態で設置される電源コンセントにおいて、前記電源コンセントの化粧板に貫通させた複数のプラグの栓刃挿通孔と、該夫々の栓刃挿通孔の裏面に夫々設けた受刃金具を備えたコンセントと、前記電源コンセントの化粧板に設けた操作ボタンと、該操作ボタンで操作される化粧板の裏面に設けたブレーカー付スイッチと、を備え、前記複数のコンセントとブレーカー付スイッチとをコードにより電気的に接続すると共に、該ブレーカー付スイッチを電源コードと電気的に接続した構造としたことを特徴とする電源コンセント。
【考案の詳細な説明】
【技術分野】
【０００１】
本考案は、電源コンセントに関するものであり、更に詳細には、建物の各部屋に設けられた過電流による事故を防止するブレーカー付スイッチを付設した電源コンセントに関するものである。
【背景技術】
【０００２】
従来、電源コンセントは建物の各部屋には必ず設置されているものであり、また、ブレーカーも外部電源から配線により建物内に導入される部位に設置され、主ブレーカーから分岐し夫々の配線毎に複数の子ブレーカーが設けられているが、多数の電気機器等を同時使用した様な時に過電流が流れブレーカーが作動することは頻繁に起きており、夜など真っ暗な中を復帰させるためにブレーカーが設置されている所まで行かなければ成らず、また、高い位置に設置されている場合が多く、踏み台などを必要とするため厄介なものであった。
【０００３】
また、近年ではパーソナルコンピュータやオーディオ機器等初めとする電器製品の氾濫から電源コンセントに分岐用の多孔のコンセントを付設してたこ足に配線したり、更には、延長コードを接続して先端に多連孔を有したテーブルタップを設けて、多数の電気機器を挿通させて同時に使用している現状である。
【０００４】
その為に、先に開示された、机上棚の下段棚板１にスイッチ１３、コンセント１４及びブレーカー１５を近接して備え且つコンセントの両側にスイッチとブレーカーとを対称に配したボックス体２を取付け、その前面を化粧カバー３で外被するとともに、該化粧カバーに設けた開口２８に臨む位置にブレーカーの操作部１６を配してなる（特許文献１参照）ものや、電気機器のプラグ端子を差し込むために設けられた複数のコンセント１．２．３．４．５と、この複数のコンセント１．２．３．４．５に１対１対応で設けられた複数のブレーカーと、タップ１００の入力コード線１４を流れる電流値を検出する電流検出手段とを備え、この電流検出手段により検出された電流値が所定値以上のとき、複数のブレーカーのうち優先的に作動するブレーカーがあらかじめ決められているもの（特許文献２参照）等が開示されている。
【特許文献１】特開平８−３８２６４号公報
【特許文献２】特開平１１−１７８２１１号公報
【考案の開示】
【考案が解決しようとする課題】
【０００５】
然し乍ら、特許文献１に記載のものは、机上棚の下段棚板１にスイッチ１３、コンセント１４及びブレーカー１５を近接して備えたものであるが、机の周りで用いる電気機器に限定されるもので、更に、特許文献２に記載のものは、電気機器のプラグ端子を差し込むために設けられた複数のコンセント１．２．３．４．５と、この複数のコンセント１．２．３．４．５に１対１対応で設けられた複数のブレーカーとをタップ１００に備えたもので、複数のコンセントに１対１対応で設けられた複数のブレーカーを設けており、部品点数が多く成り配線や組立作業に手間暇が係ると共に、コスト高になるものである。
【課題を解決するための手段】
【０００６】
前記課題に鑑み鋭意研鑚の結果、本考案は建物の壁面に化粧板を露出させて設置される電源コンセントにおいて、電源コンセントの化粧板に貫通させた複数のプラグの栓刃挿通孔と、栓刃挿通孔の裏面に夫々設けた受刃金具を備えたコンセントと、電源コンセントの化粧板に設けた操作ボタンと、操作ボタンで操作される化粧板の裏面に設けたブレーカー付スイッチと、を備え、複数のコンセントとブレーカー付スイッチとをコードにより電気的に接続すると共に、ブレーカー付スイッチを電源コードと電気的に接続した構造としたものである。
【考案の効果】
【０００７】
本考案の電源コンセントは、電源コンセントに複数のコンセントとブレーカー付スイッチとを備えたため、部屋の中で使用できるあらゆる電気機器を使用することができ、使用電気機器に過電流が生じても、手近にある電源コンセントでブレーカーが作動するため復旧するための作業が部屋内の電源コンセントのリセットの操作ボタンを操作するだけで容易に復旧するものであり、更に、各電源コンセントにブレーカー付スイッチを設けているため使用電気機器の安全が図れるもので、極めて有効な効果を有した実用性の高い考案である。
【考案を実施するための最良の形態】
【０００８】
以下、本考案の電源コンセントの実施例を図面を用いて詳細に説明すると、図１は本考案の電源コンセントの実施例の斜視図であり、図２は本考案の電源コンセントの実施例の要部断面説明図である。
【０００９】
本考案は、電源コンセントに関するものであり、更に詳細には、建物の各部屋に設けられた過電流による事故を防止するブレーカー付スイッチを付設した電源コンセントに関するものであり、建物の壁面Ａに化粧板を露出させ埋没状態で設置される電源コンセント１において、前記電源コンセント１の化粧板２に貫通させた複数のプラグの栓刃挿通孔３ａと、該夫々の栓刃挿通孔３ａの裏面に夫々設けた受刃金具を備えたコンセント３と、前記電源コンセント１の化粧板２に設けた操作ボタン４ａと、該操作ボタン４ａで操作される化粧板２の裏面に設けたブレーカー付スイッチ４と、を備え、前記複数のコンセント３とブレーカー付スイッチ４とをコード５により電気的に接続すると共に、該ブレーカー付スイッチ４を電源コードＣと電気的に接続した構造としたことを特徴とするものである。
【実施例】
【００１０】
即ち、本考案の電源コンセント１は、一般のオフィスビル、マンション、アパートや一般の民家等の建物の各部屋の壁面Ａに化粧板２の表面を露出させ埋没状態で設置されているものである。
【００１１】
そして、複数のプラグの栓刃挿通孔３ａは、電源コンセント１の化粧板２に一対のプラグの栓刃を挿通させるために貫通させているもので、２〜３組の栓刃挿通孔３ａを備えているものである。
【００１２】
次に、コンセント３は、夫々の栓刃挿通孔３ａの裏面に夫々設けているもので、栓刃挿通孔３ａから挿通される栓刃を挟持させるための弾性を有し対峙させた刃受部を備えた受刃金具を内装しているものである。
【００１３】
次いで、操作ボタン４ａは、電源コンセント１の化粧板２に設けているタンブラー式のもので、後述するブレーカー付スイッチ４のオンオフをさせたり、ブレーカーのリセットの操作を行うためのもので、過電流が流れるとブレーカーが検知してスイッチを自動的にオフとするもので、また、不使用時には操作ボタン４ａをオフに操作することにより、電源コンセント１内で電流を遮断することにより、使用電気機器のプラグを抜く必要も無くなるものである。
【００１４】
更に、ブレーカー付スイッチ４は、化粧板２の裏面に設けているもので、化粧板２の表面側に設けた操作ボタン４ａで操作されるものである。
【００１５】
更には、図２に図示するように、複数のコンセント３とブレーカー付スイッチ４とをコード５により電気的に接続すると共に、ブレーカー付スイッチ４を電源コードＣと電気的に接続したものである。
【産業上の利用可能性】
【００１６】
本考案の電源コンセントは、電源コンセントに複数のコンセントとブレーカー付スイッチとを備えたため、部屋の中で使用できるあらゆる電気機器を使用することができ、使用電気機器に過電流が生じても、手近にある電源コンセントでブレーカーが作動するため復旧するための作業が部屋内の電源コンセントのリセットの操作ボタンを操作するだけで容易に復旧するものであり、更に、各電源コンセントにブレーカー付スイッチを設けているため使用電気機器の安全が図れる電源コンセントを提供できるものである。
【図面の簡単な説明】
【００１７】
【図１】図１は本考案の電源コンセントの実施例の斜視図である。
【図２】図２は本考案の電源コンセントの実施例の要部断面説明図である。
【符号の説明】
【００１８】
Ａ      壁面
Ｃ      電源コード
１      電源コンセント
２      化粧板
３      コンセント
３ａ    栓刃挿通孔
４      ブレーカー付スイッチ
４ａ    操作ボタン
５      コード
【図１】
0003144068.tif 000003
【図２】
0003144068.tif 000004